(57)【特許請求の範囲】
【請求項１】
２個の互いに嵌合可能な電気コネクタを具備し、該電気コネクタは、該電気コネクタの嵌合及び嵌合解除を機械的に補助するラック・ピニオン機械的補助手段を有し、前記電気コネクタのうち第１電気コネクタが嵌合キャビティを画定する成形されたハウジングを有し、前記電気コネクタが嵌合する際に前記嵌合キャビティ内に少なくとも第２電気コネクタの一部が受容される電気コネクタ組立体において、
前記成形されたハウジングは、前記嵌合キャビティに沿って露出する、互いに逆向きで、前記ハウジングの側壁からの距離が互いに異なると共に前記嵌合キャビティの底面からの距離が互いに異なる２つのラック面を有し、
前記２つのラック面は、前記電気コネクタの嵌合方向から見て重なり合わないで横並びし、
前記２つのラック面の一方は、前記嵌合キャビティの前記底面に形成された開口と前記嵌合方向から見て整列することを特徴とする電気コネクタ組立体。
【請求項２】
前記第２電気コネクタは、レバーアームに２つのピニオンギア部材を有するレバーを有し、
前記２つのピニオンギア部材のうち一方のみが前記レバーアームの側面から突出することを特徴とする請求項１記載の電気コネクタ組立体。
【発明の詳細な説明】
【０００１】
【発明の属する技術分野】
本発明は、レバーのラック・ピニオン手段を使用して雄型コネクタ及び雌型コネクタを嵌合及び嵌合解除する電気コネクタに関する。本発明はまた、典型的には自動車及び他の用途に使用されるような、箱に実装された電気部品に対してワイヤハーネスを嵌合するのに使用される電気コネクタに関する。
【０００２】
【従来の技術】
図９及び図１０は、特許文献１に示される従来のラック・ピニオン電気コネクタ組立体を示す。このタイプの電気コネクタ組立体は、印刷回路基板ピンの配列を取り囲むシュラウドを有するピンヘッダｂと嵌合可能なプラグコネクタａを具備する。ラック・ピニオン及びレバーｃは、２個の電気コネクタが嵌合又は嵌合解除される際に、機械的利点を提供するよう使用される。ラックｄは、典型的には電線に取り付けられた端子を有するプラグコネクタａの外面に配置される。ピニオンｅを形成する歯はレバーｃに配置されているので、レバーが支軸ピンｆの回りを回転すると、ラック歯及びピニオン歯は互いに噛み合う。支軸ピンｆは、ピンヘッダのピンを取り囲むシュラウドの対向する両側壁の凹部に取り付けられる。レバーｃを時計回りに回転すると、図９及び図１０に示されるように２個の電気コネクタを嵌合解除する。次に、レバーｃを反時計回りに回転すると２個の電気コネクタを嵌合させる。
【０００３】
【特許文献１】
独国実用新案第８７１４０１６号明細書
【特許文献２】
米国特許第５３２２４４８号明細書
【特許文献３】
米国特許第６２４７９６６号明細書
【０００４】
【発明が解決しようとする課題】
同様の従来の電気コネクタは、相手のシュラウドを有するピンヘッダの内部両側壁に配置されたラックを形成する歯を有するプラグコネクタに実装されたレバーを有する。プラグコネクタにレバーを実装するといくつかの利点がある。予め設置された部品ハウジングの一部であるピンヘッダに典型的に挿入されるプラグコネクタにレバーが実装されると、レバーへのアクセスが改善される。残念ながら、シュラウドが設けられたピンヘッダの内部壁に歯を成形することはより困難になってきている。内方にシフトする横方向移動ツールは歯を成形する一方法であるが、比較的高コストのやり方である。
【０００５】
特許文献２には、対向する両側壁のラック間に挿入されるレバーの歯と係合するラックの歯を簡単に製造する一方法が開示されている。その構造において、各ラックは、ピンコネクタハウジングのシュラウドの各側壁と略共平面内でピンコネクタハウジングの上縁付近に突出する。各ラックの歯は各シュラウド側壁に覆いかぶさる。これらラック歯は成形が容易であるが、ピンヘッダが成形金型から除去される際に成形金型の横方向の移動が必要である。さらに、この方法はピンヘッダ及び電気コネクタ組立体の幅を小さくすることができるが、組立体の高さは大きくなる。多くの用途において、組立体の高さは幅よりも重要である。例えば、コネクタ組立体の高さは、嵩張るコネクタ及びワイヤハーネス構造よりも低背が好まれる多くの自動車用途において決定的である。
【０００６】
特許文献３には、レバーがプラグコネクタ組立体に実装されて比較的狭い幅で比較的低背の組立体であるコネクタ組立体が開示されている。このコネクタのラック歯は、ピンヘッダシュラウド壁の内部に配置されている。しかし、ある用途においては、ピンヘッダは部品ハウジングの一部であり、複数のピンヘッダを同じ部品ハウジングに取り付ける必要があることが多い。複数のピンヘッダが平行に配置されると、分離して並んだピンヘッダに平行な内部ラック歯を成形することは非常に厄介になる。一つの方法は、ヘッダハウジングの両側面を貫通してピンを挿入することによりラック歯を成形することであるが、この方法は複数のヘッダを有する大きな部品と共に使用することに適合しない。従って、本発明はこの課題に対する解決手段を提供する。
【０００７】
【課題を解決するための手段】
上述の課題を解決する電気コネクタは、内部に端子が配置されたハウジングを有する。また、このコネクタは、ハウジングに対して回転可能なレバーを有し、電気コネクタ及び嵌合相手の電気コネクタ間に嵌合力及び嵌合解除力を印加する。レバーはレバーの側面から横方向に突出する少なくとも１個のギア歯を有するので、横方向に突出するギア歯は相手電気コネクタの横方向に離間した面と係合可能である。
【０００８】
雄型電気コネクタは、ラック・ピニオン手段により雌型電気コネクタと嵌合可能であり雌型電気コネクタと嵌合解除可能である。雄型電気コネクタは、雄型コネクタハウジングに対して回転可能であって雄型コネクタハウジングに取り付けられたレバーを有する。レバーは、雌型電気コネクタのラック上の横方向にオフセットした面と係合するためのピニオン歯を有する。
【０００９】
２個の互いに嵌合する電気コネクタは、２個の電気コネクタを嵌合及び嵌合解除させるためのラック・ピニオン機械的補助手段を有する電気コネクタ組立体を形成する。一方の電気コネクタは、２個の電気コネクタが嵌合する際に、他方の電気コネクタの少なくとも一部が受容される嵌合キャビティを画定する成形されたハウジングを有する。この成形されたハウジングは、嵌合キャビティに沿って露出した、対向して面し且つ横方向にオフセットするラック面を有する。
【００１０】
雌型電気コネクタは、成形されたハウジング及び複数の端子を有する。成形ハウジングはハウジング基部から上方に延びる少なくとも一側壁を有し、複数のギア部材がその一側壁の内面の一部として成形される。隣接するギア部材は、ハウジングに対して上下に、且つ一側壁に直交する方向に互いに対して横方向にオフセットして配置される。
【００１１】
【発明の実施の形態】
以下、添付図面を参照して本発明の好適実施形態を説明する。図１は、本発明の好適一実施形態の電気コネクタ組立体を示す斜視図である。ここで、プラグコネクタがピンヘッダすなわち嵌合相手電気コネクタと嵌合及び嵌合解除可能であり、プラグコネクタがピンヘッダと嵌合及び嵌合解除する際に直線的にプラグコネクタを移動させるラック・ピニオン手段の補助を有する。図２は、図１に示された電気コネクタ組立体の斜視図である。ここで、組立体の付加的な機構を示すために、構成部品をやや異なる角度から見ている。図３は、図１及び図２に示されたプラグコネクタに配置された１個のリセプタクル端子を示す部分断面図である。図４は、図１及び図２の電気コネクタ組立体に使用されるレバーの斜視図である。図５は、図４に示されるレバーの側面図である。図６は、図１ないし図５に示されるタイプのラック・ピニオン手段を使用するプラグコネクタと嵌合するよう使用され得るピンヘッダの嵌合キャビティを示す図である。図７は、図６のピンヘッダの一ハウジング壁の拡大図である。ここで、ラックギアと、ラックギアの一方と整列する金型の隙間(clearance)穴が詳細に示される。図８は、第２実施形態の電気コネクタ組立体を示す図である。ここで、レバーの一方のピニオンギアは、ピンヘッダすなわち相手電気コネクタの相互にオフセットしたラックギア部材と係合するために、他方のピニオンギア部材に対してオフセットしている。
【００１２】
電気コネクタを嵌合及び嵌合解除する機械的利点を提供するラック・ピニオン手段を使用した電気コネクタ組立体の代表的な２実施形態を説明する。各実施形態に使用されるラック・ピニオン手段は、ピニオンギアの回転運動をラックギアの方向に沿った２個のコネクタの直線移動に変換する。図１ないし図５に示される第１実施形態は、プラグコネクタすなわち雄型コネクタ１０及びピンヘッダすなわち雌型コネクタ５０を具備する電気コネクタ組立体２を示す。プラグコネクタ１０に取り付けられたレバー３０は、レバーの支点に隣接する位置に配置された嵌合ギア歯すなわち嵌合ギア部材４０及び嵌合解除ギア歯すなわち嵌合解除ギア部材４４を有するピニオンギアを具備する。両ギア部材４０，４４はレバーアーム３２の側面から横方向に突出する。これらのピニオンギア歯４０，４４は、プラグコネクタ１０と嵌合するピンヘッダ５０上のラックギア部材７０，７４と係合する。図８は、ラックギア部材１７０，１７４と嵌合する、レバー１３０上のピニオンギア部材１４０，１４４を使用する同様の実施形態のコネクタ組立体１０２を示す。この実施形態においては、ピニオンギア部材１４４のみがレバーアーム１３２の側面から突出する。また、ピニオンギア部材１４４は他のピニオンギア部材１４０からも横方向に突出する。両実施形態の横方向に突出するギア部材により、ギアピニオン部材４０，４４，１４０，１４４が相互に横方向にオフセットしたラックギア部材と係合できる。図１ないし図５の実施形態において、ラックギア部材７０はラックギア部材７４に対して横方向にオフセットしている。図８の実施形態において、ラックギア部材１７０はラックギア部材すなわちラックギア歯１７４に対して横方向にオフセットしている。ラックギア部材すなわちラックギア歯がこのように横方向にオフセットすると、ラックギア７０，７４，１７０，１７４及びピンヘッダ５０，１５０は直線的に移動する（straight action）成形金型により一体物として成形可能であり、ラックギア部材を形成するためにアンダカット又は横方向への引く金型が不要である。このため、一体物として成形された部品の一部としての２個以上のピンヘッダを含むカバー又はエンクロージャの成形を簡単にする。というのは、その部品も直線的に移動する成形金型で成形可能であるからである。
【００１３】
図１に示される電気コネクタ組立体２は、ピンヘッダ５０と嵌合可能なプラグコネクタ１０を有する。プラグコネクタ１０は、複数のリセプタクル端子１２（図３参照）及びプラグコネクタハウジング組立体１４を含むいくつかの部品の組立体である。成形された内部プラグコネクタハウジング１６（図２参照）は、成形されたプラグコネクタシールドハウジング２６上の仕切り２８内に配置される。これら２個のコネクタハウジング部材１６，２６は、レバー３０と共にシールドハウジング２６に取り付けられてプラグコネクタハウジング組立体１４を形成する。内部プラグコネクタハウジング１６及びキャビティ内に取り付けられる端子１２は、特許文献３に示されるように、従来の別の電気コネクタにも使用される。これら部品は、本明細書に記載される本発明には重要ではないので、詳細には説明しない。
【００１４】
図１に示される成形されたシールドすなわちシールドハウジング２６は、開口端を有するシールド仕切り２８を有する。この開口端を通って、ワイヤハーネス（図示せず）でワイヤに終端された端子を有する内部ハウジング１６が、従来の方法で挿入可能である。シールド２６は３側面を有するシュラウドの形状をなし、長い２側面が狭い後側及び上部で結合され、これらは全て単一物品として成形される。シールド２６の下部は開放しており、端子１２を露出する嵌合面を形成する。シールド２６のこうした点は本質的に従来からあるものであり、この嵌合面は図３にのみ示される。シールドハウジング２６の対向両側面はポスト２０を有する。ポスト２０は、レバー３０がシールド２６に取り付けできるように突出する。もちろん、前面のポストのみが図１及び図２に示され、これら斜視図に示すことができない同等のポストも後面に配置されることは理解されよう。ポスト末端２２は、シールドハウジング側面から横方向にオフセットしている。シールドハウジング側面からは、ポスト２０がレバー３０を取り付けるのに十分な距離だけ延びる。
【００１５】
レバー３０は図４及び図５に詳細に示される。成形された単一のレバー３０はシールド２６に取り付けられる。このレバー３０は、ハンドルすなわち横部材３８により一端で結合された略平行な２本のレバーアーム３２を有する。各レバーアーム３２は、その自由端に位置する略円形のハブ部３４を有する。開口３６がハブ部３４の中央に配置され、各開口３６は、シールドハウジング２６の隣接する側面から突出するポスト２０を受容するように寸法が設定されている。この結果、レバー３０をシールドハウジングに取り付けることができる。各開口３６は、対応するポスト２０の停止肩と係合する停止面３７を有するので、レバー３０は特定の円弧の範囲内で回転できる。
【００１６】
各レバーアーム３２のハブ部３４は略平坦なハブ部であり、自由端に隣接するレバーアーム部分は略平行である。ハンドルすなわち横部材３８に隣接するアーム３２の部分は、一つにはラッチ手段を収容するためにハブ部３４に対してオフセットしている。これらのラッチ手段は本発明には関係ないので、説明しない。ピニオンギア部材は、ハブ部３４及びレバーアーム３２の自由端に略近接するレバーアームの部分から突出する。また、ピニオンギア４０，４４は、レバー３０の支点を形成するポスト２０の末端を超えて突出する。これらのギア部材すなわちギア歯は、レバー開口３６の周辺に隣接して位置する嵌合ピニオンギア歯すなわち嵌合ピニオンギア部材４０及び嵌合解除ピニオンギア歯すなわち嵌合ピニオンギア部材４４を有する。これらのピニオンギアは、レバー３０が回転して２個の電気コネクタ１０，５０を嵌合又は嵌合解除する際に、ラックギア部材７０，７４と係合する。嵌合ピニオンギア部材４０は、図１及び図２に示されるようにレバー３０が反時計回りに回転して直線に沿ってプラグコネクタ１０を移動させてピンヘッダ５０と嵌合させる際に、下向きのラック嵌合歯面７２と係合するギア面４２を有する。嵌合解除ピニオンギア部材４４は、レバー３０が時計回りに回転する際に、ピンヘッダ５０からプラグコネクタ１０を嵌合解除するために上向きのラックギア面７６と係合する外面４６を有する。図１及び図２において、レバー３０は、シールド２６に対して時計回りの行程の端部、すなわち嵌合解除完了位置に配置される。レバー３０がこの位置に配置されると、プラグコネクタ１０は、端子１２が対応するピン５２と整列した状態で、ピンヘッダ５０の嵌合キャビティ５６内に部分的に挿入可能である。レバー３０は、この位置から反時計回りに回転可能であり、ピンヘッダ嵌合キャビティ５６の対向両側面に沿って嵌合ピニオンギア４０を嵌合ラックギア７０の下面７２に係合させ、コネクタ及び端子を嵌合完了させる。図１及び図２には１組のピニオンギア又はラックギアしか見えないが、少なくとも好適実施形態において、ピニオンギアはシールド２６及びコネクタ１０の対向する両側面に配置され、ラックギアはピンヘッダ５０の嵌合キャビティ５６の対向する両側面に配置されることを理解すべきである。
【００１７】
図１及び図２に示されるピンヘッダ５０は、嵌合キャビティ５６を有するシュラウド付きピンヘッダであり、基部壁５８から上方に延びて一体物の成形ハウジング５４を形成する４壁により形成される。図１に１個が示される電気ピン５２は、ヘッダハウジング基部５８のピン穴６２を貫通して上方に延びる。これらのピン５２は、嵌合キャビティ５６内に上方へ十分な距離で延びるので、プラグコネクタ１０がピンヘッダ５０に嵌合する際にリセプタクル端子１２と係合する。多くの用途においてその全てに必要ではないが、ピンの反対側の端部は、電気又は電子部品内に配置された印刷回路基板（図示せず）に終端される。代表例では、ピンヘッダハウジング５４は電気又は電子部品の外側ハウジングの一部として成形され、分離した複数のヘッダは、同じ部品ハウジング、エンクロージャ又は隔壁(bulkhead)の一部として成形される。
【００１８】
図１及び図２に示されるピンヘッダ５０は、単一の内部プラグハウジング１６内に２６個の端子を有するプラグコネクタに嵌合可能な２６極雌型電気コネクタである。図６に示されるピンヘッダハウジング５０は、各々が２６個の端子を有する２個の並んだ内部プラグハウジング１６からなるプラグコネクタに嵌合可能な５２極雌型電気コネクタである。各々の場合において、シールド２６の寸法又は幅は異なる数の端子を有するコネクタ用にもちろん異なるが、単一のシールド２６は内部コネクタハウジング１６を含む。しかし、本発明は、特定の寸法又は特定の数の端子を有するコネクタに限定されないことを理解されたい。異なる寸法のピンヘッダは図１、図２及び図６に示される。というのは、これらの図は、基本的なピンヘッダ構造の詳細をよりよく示しているからである。
【００１９】
ピンヘッダ５０は、対向する両側壁６４がその内面６６に形成されたラック凹部６８をそれぞれ有する略矩形構造を有する。このため、これらのラック凹部６８及びその中に形成されたラックギア部材７０，７４は、嵌合キャビティ５６の不規則な形状の側面に沿って延びる。ラックギア部材７０，７４は、各ラック凹部６８の一縁に沿って形成されている。従来のラックギア構造を有する場合のように、２個のラックギア部材がピンヘッダ基部壁５８に対して異なる高さで配置されているが、ラックギア部材７０，７４は従来のラックギア構造を有する場合のように互いに整列していない。嵌合ギア部材すなわち嵌合ギア歯７０は、嵌合解除ラックギア部材すなわち嵌合解除ラックギア歯７４に対して横方向にオフセットしている。図１及び図２の実施形態及び図８の実施形態において、嵌合ラックギア７０及びその下向き面７２は、嵌合解除ラックギア７４及び上向き面７６よりも対応するヘッダハウジング壁６４の外面により接近している。換言すると、嵌合解除ラックギア７４及び嵌合解除ギア面７６は嵌合キャビティ５６の残余部分（中心部分）により接近して配置されている。つまり、嵌合ラックギア７０は嵌合解除ラックギア７４に対して横方向にオフセットしている。各ラックギアの幅は凹部６８の幅より小さい。代表的な実施形態において、各ラックギアの幅は、凹部６８の幅の約半分に等しい。この横方向のオフセットは、成形金型が分離して成形金型から一体成形ピンヘッダハウジング５４を排出する際に、基部壁５８に直交して移動する直線移動金型を使用することにより、両ギア部材７０，７４がピンヘッダハウジング５４の一部として成形できるようにするために使われる。逆向きのラックギア面７２，７６を形成するのに側方移動(side action)金型は不要である。というのは、これらの面７２，７６は重なっていないからである。代わりに、下向きの嵌合ギア面７２が、ラック凹部６８の底面に形成された成形金型クリアランス開口６０と整列する。成形金型の突起（コアピン）は、成形品が充填される際に下向き面７２を形成し、新たに成形されたピンヘッダハウジング５０が成形金型及び成形金型突起から排出される際に開口６０を残す。成形金型の他の半体の反対側に延びる成形金型突起は、隣接する上向きのギア面７６を形成する。このため、２個のラックギア部材７０，７４及びそれらの作動面７２，７６は、通常のラック構造では重なり合う代わりに横並びする。
【００２０】
嵌合ラックギア７０又は嵌合解除ラックギア７４のいずれかは、３個以上のラックギア歯を有する十分に形成されたラックの特性を有するギア歯の十分に形成された形状を有する。本明細書に記載された電気コネクタ組立体については、２個のラックギア及び２個のピニオンギアが、ピンヘッダ５０にプラグコネクタ１０を嵌合完了するのに十分である。従って、各ラックギアの逆側の面にギア面を形成する必要がない。次に、ラック作動面の反対側の壁部分は、より強力な成形ギア部材となるピンヘッダハウジング５４の上部又は底部まで延ばすことができる。ラックギア部材７０，７４は完全な歯構造を有していないかもしれないが、ラックギア部材としてこれら２部材が適当である。というのは、ピニオンギア部材４０，４４との組合せにおいて、嵌合及び嵌合解除中に、ピンヘッダ５０に対してプラグコネクタ１０の直線移動となるからである。他の用途において、十分な嵌合及び嵌合解除行程には３個以上のラックギア部材が必要であろう。３個以上のラックギア部材は、全てのラックギアを横方向にオフセットすることにより、同一の方法で成形可能である。
【００２１】
図８には、別の実施形態の電気コネクタ組立体１０２及びプラグコネクタ１１０をピンヘッダ１５０に嵌合させるラック・ピニオン構造が示される。プラグコネクタ１１０は、図２に示されたものと同一構造である２個の内部ハウジングがシールド１２６の横並びの区切り１２８内に挿入され得る、代表的一構造である。単一のＵ字状レバー１３０はシールド１２６に取り付けられ、レバーアーム１３２はシールド１２６の両側面に沿って延びる。レバー１３０はシールドの両側面から延びるポスト１２０に取り付けられ、前側ポスト１２０のみが図８に示される。図１及び図２に示される種類とは異なり、成形ピニオンギア１４０は、レバーアーム１３２の隣接部分と同一平面に延長部として形成され、前の構造のようにレバーアーム１３２に対してもポスト１２０の末端に対しても横方向にオフセットしていない。しかし、嵌合解除ピニオンギア１４４は、ポスト１２０及びアーム１３２に対して及び嵌合ピニオンギア１４０の平面に対して横方向にオフセットする。これにより、嵌合解除ピニオンギア１４４がラックギア１７４と係合することができる。ここで、ラックギア１７４は、嵌合ピニオンギア１４０と係合する嵌合ラックギア１７０に対して横方向にオフセットする。このオフセットしたラックギア１７０，１７４は、一体成形されたヘッダハウジング１５４のピンヘッダ側壁１６４に形成されている。従って、ギア歯１７０，１７４は、図１及び図２の実施形態と実質的に同一の方法で嵌合キャビティ１５６内に露出する。別の相違の一つは、図８の実施形態では嵌合ラックギア１７０の下向きの面１７２が上方に延びる成形金型により形成されてクリアランス開口１６０を残すのみならず、下面１７８も嵌合解除ギア歯１７４に形成されている点である。
【００２２】
本発明の代表実施形態は、複数のワイヤハーネスが単一の部品に又は複数の部品を含む単一のエンクロージャに取り付けられた自動車用とに使用することを意図されている。もちろん、本発明の原理に従って単一のヘッダも成形可能である。これらの用途において、雌型電気コネクタは通常、印刷回路基板に、又は電気部品の入出力印刷回路基板に実装された印刷回路基板コネクタである。しかし、雌型コネクタは印刷回路基板コネクタである必要はなく、本発明は電線又は別の導体に終端された２個のコネクタに適用可能であることを理解されたい。また、本発明を組み込むコネクタは、他の用途にも使用可能であり、自動車での使用に限定されない。従って、本発明は特許請求の範囲により定義され、特定の実施形態は単に本発明の代表例に過ぎない。
【図面の簡単な説明】
【図１】本発明の好適一実施形態の電気コネクタ組立体を示す斜視図である。
【図２】図１に示された電気コネクタ組立体の斜視図である。
【図３】図１及び図２に示されたプラグコネクタに配置された１個のリセプタクル端子を示す部分断面図である。
【図４】図１及び図２の電気コネクタ組立体に使用されるレバーの斜視図である。
【図５】図４に示されるレバーの側面図である。
【図６】図１ないし図５に示されるタイプのラック・ピニオン手段を使用するプラグコネクタと嵌合するよう使用され得るピンヘッダの嵌合キャビティを示す図である。
【図７】図６のピンヘッダの一ハウジング壁の拡大図である。
【図８】第２実施形態の電気コネクタ組立体を示す図である。
【図９】電気コネクタを嵌合及び嵌合解除するためにラック・ピニオン手段を使用する従来のコネクタ組立体の嵌合状態を示す斜視図である。
【図１０】図９の電気コネクタの嵌合解除状態を示す斜視図である。
【符号の説明】
２，１０２    電気コネクタ組立体
１０，１１０  プラグコネクタ（雄型電気コネクタ）
１２          端子
１４          プラグコネクタハウジング組立体（ハウジング）
３０，１３０  レバー
４０          嵌合ギア部材（ギア歯）
５０，１５０  ピンヘッダ（相手電気コネクタ）
５４，１５４  ヘッダハウジング（成形されたハウジング）
５６，１５６  嵌合キャビティ
５８          基部壁
７２，１７２  下向き面
７６，１７６  上向き面
１４０        ピニオンギア部材（ギア歯）
【図１】
0004412703.tif 000002
【図２】
0004412703.tif 000003
【図３】
0004412703.tif 000004
【図４】
0004412703.tif 000005
【図５】
0004412703.tif 000006
【図６】
0004412703.tif 000007
【図７】
0004412703.tif 000008
【図８】
0004412703.tif 000009
【図９】
0004412703.tif 000010
【図１０】
0004412703.tif 000011